(57)【要約】【課題】  本発明は、利用者に手間をかけることなく、様々なバリエーションの機器の制御や生活音の再生を可能とし、未然に盗難を防止しうる防犯システムを提案するものである。【解決手段】  本発明に係る防犯システムの代表的な構成は、スクリプトに応じてストリームデータまたは制御信号を配信するサーバと、少なくとも前記スクリプトを格納するデータベースと、利用者の建物内に設置され前記サーバからの配信を受け取る端末と、前記端末が受け取ったストリームデータまたは制御信号により動作する宅内機器と、前記サーバと前記端末とを接続する通信手段とを備えたことを特徴とする。【選択図】    図６
2005141478.tif 000002
【特許請求の範囲】
【請求項１】
スクリプトに応じてストリームデータまたは制御信号を配信するサーバと、
少なくとも前記スクリプトを格納するデータベースと、
利用者の建物内に設置され前記サーバからの配信を受け取る端末と、
前記端末が受け取ったストリームデータまたは制御信号により動作する宅内機器と、
前記サーバと前記端末とを接続する通信手段とを備えたことを特徴とする防犯システム。
【請求項２】
前記端末は外出状態と在宅状態が切替え可能であって、外出状態に設定した場合に前記サーバから配信を受け取ることを特徴とする請求項１記載の防犯システム。
【請求項３】
前記スクリプトは、ストリームデータまたは制御信号の指定と、これらを再生または実行する時刻の指定とを含み、
前記データベースには、前記スクリプトと、当該スクリプトの属性とをあわせて格納していることを特徴とする請求項１記載の防犯システム。
【請求項４】
前記スクリプトは、さらにサブスクリプトを指定可能であることを特徴とする請求項１記載の防犯システム。
【請求項５】
前記サーバの備えるデータベースは、さらに当該住宅に居住する家族情報を格納し、
前記サーバは、前記家族情報を参照してスクリプトを構築することを特徴とする請求項１記載の防犯システム。
【請求項６】
前記サーバは、前記通信手段を介して少なくとも天気情報または気温情報を取得し、これらを参照してスクリプトを作成することを特徴とする請求項１記載の防犯システム。
【請求項７】
前記宅内機器とは音声出力手段を含み、
前記配信されるストリームデータは前記サーバに格納された音声データまたは前記端末に格納された音声データの指定であって、
前記音声データを前記音声出力手段によって出力することを特徴とする請求項１記載の防犯システム。
【請求項８】
前記宅内機器とは複数の音声出力手段を含み、
前記複数の音声出力手段は少なくとも居間、台所、食堂、客間、寝室、トイレ、洗面所、浴室、玄関ホール、庭、ベランダ、屋上のうち２以上の場所に設置されていることを特徴とする請求項７記載の防犯システム。
【請求項９】
前記配信される制御信号には前記音声出力手段を特定する信号を含み、
前記音声データを、内容に応じた場所に設置された前記音声出力手段から出力させることを特徴とする請求項８記載の防犯システム。
【請求項１０】
前記宅内機器には音声出力手段を含み、
さらに音声認識により他の宅内機器を制御する制御手段を備え、
前記音声出力手段から出力する音声データには、他の宅内機器を制御する音声を含むことを特徴とする請求項７記載の防犯システム。
【請求項１１】
前記音声データは、録音された音声データ、および文字情報から生成される合成音声を含むことを特徴とする請求項７記載の防犯システム。
【請求項１２】
前記音声データは、録音された音声データまたは文字情報からなるパラメータを備え、該パラメータに実体データを与えることによって音声データが生成可能であることを特徴とする請求項７記載の防犯システム。
【請求項１３】
住宅内に設置される主装置によってなる防犯システムであって、
少なくともストリームデータまたは制御信号の指定とこれらを再生または実行する時刻の指定とを含む複数のスクリプトと、宅内機器の制御信号と、複数の音声データと、を格納したデータベースと、
前記主装置に接続された音声出力手段を含む宅内機器とを備え、
前記主装置は外出状態と在宅状態が切替え可能であって、外出状態に設定した場合に、前記スクリプトに従って前記宅内機器を制御し、かつ前記音声データを前記音声出力手段から出力することを特徴とする防犯システム。
【発明の詳細な説明】
【技術分野】
【０００１】
本発明は、音声および宅内機器制御によって在宅を装う防犯システムに関するものである。
【背景技術】
【０００２】
住宅における外出時の防犯システムは、従来から様々なものが提案され、実施されている。例えば出入口に検知センサを設けて、警報を鳴らすものや（特許文献１等）、契約した警備会社に連絡が通知されて警備員が派遣されるもの（特許文献２等）などがある。また監視カメラによって遠隔地から監視可能なもの（特許文献３等）もある。
【０００３】
また、未然に侵入を防止するために、外出時にテレビやラジオをつけることにより在宅を装う手法が知られている。その一つとして、外出先から、もしくはスケジュール設定、センサ検知応答などにより、テレビやラジオに限らず宅内機器を制御する製品が提供されている（非特許文献１）。
【０００４】
【特許文献１】特開平５−２９８５６３号公報
【特許文献２】特開平１０−１１６７０号公報
【特許文献３】特開２００２−１６５２１１号公報
【非特許文献１】ソニックジャパン「HomeAuto206」インターネット  ZDNet Broadband：NEWS 2002年11月20日
【発明の開示】
【発明が解決しようとする課題】
【０００５】
しかし、上記の如くセンサを用いた従来の防犯システムでは、侵入をセンサで検知した際のみに警報が発せられ、侵入発生時には既に設備が破壊されている可能性が非常に高いという問題がある。また監視カメラによって遠隔地から監視する場合も、侵入者の映像が残るのみであって、設備が破壊される点においては同様である。
【０００６】
また、テレビやラジオを用いる場合も、外出時にテレビやラジオをつけ忘れる場合があり、確実性に欠ける。また外部からテレビやラジオ、その他の宅内機器を制御する方法も在宅を装う上で有効であると考えられるが、外部からの機器制御が煩わしいという問題がある。
【０００７】
またスケジュール設定や照度センサなどによって宅内機器を制御する場合も、制御パターンが単純化しがちである。さらに時節や時刻を考えれば必ずしも適切な制御を行なうことは難しいため、不自然さが生じてしまうおそれもある。このため窃盗犯が定期的に、もしくは注意深く観察した場合に、機器制御によって在宅のように見せかけていることが判明してしまうおそれがある。
【０００８】
そこで本発明は、利用者に手間をかけることなく、様々なバリエーションの機器の制御や生活音の再生を可能とし、未然に侵入を防止しうる防犯システムを提案するものである。
【課題を解決するための手段】
【０００９】
上記課題を解決するために、本発明に係る防犯システムの代表的な構成は、スクリプトに応じてストリームデータまたは制御信号を配信するサーバと、少なくとも前記スクリプトを格納するデータベースと、利用者の建物内に設置され前記サーバからの配信を受け取る端末と、前記端末が受け取ったストリームデータまたは制御信号により動作する宅内機器と、前記サーバと前記端末とを接続する通信手段とを備えたことを特徴とする。このようにサーバが断片的なストリームデータまたは制御信号をスクリプトに従って連続的に配信することにより、長時間の宅内機器制御が容易となる。また利用者が外出先からテレビをつけるなどの操作が不要となり、外出時に宅内機器を制御できる環境になくとも在宅を装うことができる。さらには、スクリプトを用いることにより配信データ構築のコストも低廉に抑えることができ、また配信データの内容の修正変更も容易となる。このため利用者に負担をかけることなく、季節、時刻、利用者の家族構成、生活パターンなどに柔軟に適応させたスクリプトを容易に作成し、一日の生活シーンにあわせた機器制御を行なうことができ、パターン化を防止して自然な在宅を装うことができる。
【００１０】
また前記端末は外出状態と在宅状態が切替え可能であって、外出状態に設定した場合に前記サーバから配信を受け取ることを特徴とする。これにより利用者は極めて簡単な操作で当該防犯システムを起動することができる。また既存の防犯システムと連動するようにすれば、利用者にとって操作が増加することなく、さらに簡便となる。
【００１１】
また前記スクリプトは、ストリームデータまたは制御信号の指定と、これらを再生または実行する時刻の指定とを含み、前記データベースには、前記スクリプトと、当該スクリプトの属性とをあわせて格納していることを特徴とする。これによりサーバは時刻に適した宅内機器の制御を行なうことができると共に、属性を参照してスクリプトを選択することが可能となる。
【００１２】
また前記スクリプトは、さらにサブスクリプトを指定可能であることを特徴とする。このようにスクリプトを階層構造とすることにより、スクリプトの構築、修正変更を容易とすることができる。
【００１３】
また前記サーバの備えるデータベースは、さらに当該住宅に居住する家族情報を格納し、前記サーバは、前記家族情報を参照してスクリプトを構築することを特徴とする。これにより、利用者の家庭や生活スタイルに適したスクリプトの選択、構築、修正変更が可能となる。
【００１４】
また前記サーバは、前記通信手段を介して少なくとも天気情報または気温情報を取得し、これらを参照してスクリプトを作成することを特徴とする。これにより、利用者の住宅の所在地の天気、気温に応じた現実味のある宅内機器の制御を行なうことができる。
【００１５】
また前記宅内機器とは音声出力手段を含み、前記配信されるストリームデータは前記サーバに格納された音声データまたは前記端末に格納された音声データの指定であって、前記音声データを前記音声出力手段によって出力することを特徴とする。これによりスクリプトに従って音声データを配信することができ、利用者に録音データを準備する負担をかけることなく、パターン化することのない自然な在宅を装うことができる。
【００１６】
また前記宅内機器とは複数の音声出力手段を含み、前記複数の音声出力手段は少なくとも居間、台所、食堂、客間、寝室、トイレ、洗面所、浴室、玄関ホール、庭、ベランダ、屋上のうち２以上の場所に設置されていることを特徴とする。これにより外部に対して配信音声を聞こえやすくすることができ、システムの有効性を向上させることができる。
【００１７】
また前記配信される制御信号には前記音声出力手段を特定する信号を含み、前記音声データを、内容に応じた場所に設置された前記音声出力手段から出力させることを特徴とする。これにより設置した場所に適した音声を音声出力手段から出力させることができ、より現実味の高い音声配信を行なうことができる。
【００１８】
また前記宅内機器には音声出力手段を含み、さらに音声認識により他の宅内機器を制御する制御手段を備え、前記音声出力手段から出力する音声データには、他の宅内機器を制御する音声を含むことを特徴とする。これにより音声配信を行なうのみによって宅内機器の制御も行なうことができ、特に当該防犯システムのために複雑な宅内機器の設備を構築する必要がなく、既存の音声認識設備を用いて宅内機器を制御することが可能となる。従って、スクリプトに従った宅内機器制御が容易となる。
【００１９】
また、前記音声データは、録音された音声データ、および文字情報から生成される合成音声を含むことを特徴とする。現実の生活音を録音したサンプリングデータのみならず、文字情報からも音声を生成することにより、例えば家人の名前を音声に含めたり、擬似的な会話を再生したりすることができる。
【００２０】
また前記音声データは、録音された音声データまたは文字情報からなるパラメータを備え、該パラメータに実体データを与えることによって音声データが生成可能であることを特徴とする。このように構成することにより、季節や家族構成に応じて変化すべき音声データを準備することが可能となる。
【００２１】
また本発明に係る防犯システムの他の構成は、住宅内に設置される主装置によってなる防犯システムであって、少なくともストリームデータまたは制御信号の指定とこれらを再生または実行する時刻の指定とを含む複数のスクリプトと、宅内機器の制御信号と、複数の音声データと、を格納したデータベースと、前記主装置に接続された音声出力手段を含む宅内機器とを備え、前記主装置は外出状態と在宅状態が切替え可能であって、外出状態に設定した場合に、前記スクリプトに従って前記宅内機器を制御し、かつ前記音声データを前記音声出力手段から出力することを特徴とする。すなわち上記サーバと端末の機能を併せもった主装置を住宅内に設置し、独立した防犯装置とするものである。このときスクリプトの生成は自動であることが望ましく、また音声コンテンツは通信手段を介して追加可能であることが望ましい。
【発明の効果】
【００２２】
本発明によれば、利用者に手間をかけることなく、様々なバリエーションの機器の制御や、生活音の再生を可能とし、未然に盗難を防止しうる防犯システムを提供することができる。
【発明を実施するための最良の形態】
【００２３】
［第一実施例］
本発明に係る防犯システムの一実施例について、図を用いて説明する。図１は防犯システムの全体構成図、図２はシステムのブロック図、図３はスクリプトの構造を説明する図、図４はスクリプトの構造と指定された音声データの例を説明する図である。なお以下の説明において具体的な数値、システムの構成は一例であって、本発明はこれに限定されるものではない。
【００２４】
（システムの概要）
まず、図１を用いてシステムの概要について説明する。図１に示すように、サーバ１は通信手段となるインターネット回線３を介して、利用者宅４に設置された端末５（ホームゲートウェイ）に接続されている。端末５は利用者宅４に設けられたセキュリティ装置であって、外部からの侵入を検知する防犯センサ６が備えられており、有線または無線（微弱電波など）により端末５に接続されている。
【００２５】
そして利用者が端末５に接続された操作パネル７を操作して端末５を「外出モード」に設定すると、防犯センサ６の監視が開始されると同時に、宅内機器のうち音声出力手段の例としてのスピーカー８から音声が出力される。音声は外出時間帯や利用者の生活タイプ（家族構成、時間帯に応じた生活状態など）に応じた音声（人の声、料理や洗濯、テレビなどの生活雑音など）であり、サーバ１から後述するスクリプトに従って配信されるものである。このようにセキュリティ装置の外出モード設定に伴って現実味のある音声を配信することにより、利用者に手間をかけることなく、様々なバリエーションの生活音の再生を可能とし、在宅を装うことができ、未然に盗難を防止しうる防犯システムとすることができる。
【００２６】
また利用者宅４においては端末５には音声出力手段以外の宅内機器10（例えばシャッター10ａ、テレビ10ｂ、不図示のエアコン、洗濯機など）が有線または無線（赤外線など）によって接続され、制御可能となっている。そしてサーバ１からはスクリプトに従って宅内機器10を制御する制御信号が送信され、例えばシャッターの開閉、照明やテレビ、ラジオの制御が行なわれる。このように音声出力のみでなく実際に宅内機器を動作させることにより、在宅を装う上での効果を向上し、さらに防犯の抑止力とすることができる。
【００２７】
（防犯システムの具体的構成）
次に、上記防犯システムを実現するための具体的な構成について説明する。
【００２８】
図２に示すように、サーバ１は処理手段11と、ストリーミングサーバ12とを備えている。処理手段11は具体的にはＣＰＵとプログラムによって実現されるものであり、後述する様々な演算処理を行なう。ストリーミングサーバ12は端末５に対してデータ配信を行なうものである。
【００２９】
サーバ１の処理手段11からはデータベース２が参照可能となっている。データベース２には、家族情報データベース21（利用者のID、住所、当該家庭に属する個人のキーなどを含む）、メンバデータベース22（個人の名前、年齢、職業などを含む）、スクリプトデータベース23（後述するスクリプトおよびサブスクリプトを含む）、音声データベース24（音声データおよび再生所要時間を含む）、制御信号データベース25、スクリプト配信履歴データベース26などを備えている。データベース２はサーバ１と同一のコンピュータ装置に備えられていてもよく、またネットワークにより接続された他のコンピュータ装置に備えられていてもよい。
【００３０】
また処理手段11はインターネット回線３を介してインターネットリソース30（インターネット上にあるデータ）を取得可能であり、天気情報、気温情報、時事ニュースの情報などを参照可能となっている。
【００３１】
利用者宅４においては、上述した如く、インターネット回線３に端末５が接続されており、ストリーミングサーバ12からのデータ配信を受ける。端末５には、端末５のモードを「在宅モード」と「外出モード」に切替を行なう操作パネル７と、宅内機器として制御されるスピーカー８、宅内機器10が接続されている。音声出力手段でもあるスピーカー８としては、このシステムのために設置するほか、コンピュータやテレビ、オーディオ、インターホンなどのスピーカーを利用することも可能である。
【００３２】
（スクリプトの構成）
ストリーミングサーバ12から配信されるデータは、スクリプトに基づいて生成される。図３に示すように、スクリプトの構成は、ストリームデータまたは制御信号の指定と、これらを再生または実行する時刻の指定とからなる。時間軸は、データ配信を開始してからの相対的な時間ではなく、絶対的な時刻を用いる。なお配信の際に時刻はサーバ１の内部時計を用いるが、サーバ１はインターネットリソース30を参照することにより適宜内部時計の修正を行なう。
【００３３】
ストリームデータとはスピーカー８から出力すべき音声データをいい、上記音声データベース24に格納されているものを指定する。音声データとは、あらかじめ準備された生活音であり、例えば足音、調理の音、水音、会話の音、食器を運ぶときのカチャカチャという音などである。音声データはさまざまな季節、時刻、利用者の家族構成、生活パターンなどに適応できるように多数準備して音声データベース24に格納しておく。ここで音声データは断片的に準備し、個々のシーンをスクリプトによって組み立てることにより外出時間全体をカバーする長時間の配信音声を構築する。
【００３４】
音声データを純粋な音声信号を用いて配信しようとすると独立した物理的な配線を必要とするため、既知のストリーミング技術を用いて符号化（エンコード）されたデータをストリーミングサーバ12から配信し、端末５において複合化（デコード）してスピーカー８より出力する。
【００３５】
また音声データにはパラメータを備えるものがあり、パラメータに実体データを与えることによって音声データとして完成するものもある。このようなパラメータを備えた音声データをスロットと称し、パラメータとなる実体データをフィラーと称する。例えばスロットとして「今日は○○だね」というデータを用意しておき、パラメータが「天気情報」であった場合に、サーバ１の処理手段11がインターネットリソース30から取得した天気情報に基づき、例えば「いい天気」という音声データをフィラーとして与える。これにより、「今日はいい天気だね」という音声データが生成される。フィラーの他の例としては、家族の名前や職業（学校）、気温情報、時事ニュースなどを用いることができる。スロットおよびフィラーは、あらかじめ録音された音声データから選択することも可能であるが、文字情報から音声合成により自動的に生成することでもよい。
【００３６】
制御信号とは利用者宅４内の各宅内機器10を制御する信号であって、上記制御信号データベース25に格納されているデータを指定する。制御信号は宅内機器10を制御するための信号であるが、利用者宅４内にどのような宅内機器10が設置されているかは家族情報データベース21に格納し、各機器を制御するための信号については制御信号データベース25に格納しておく。これにより、スクリプトに宅内機器10を制御するための記述（例えば、「シャッターを開く」という内容）があった場合に、メーカー間の制御信号の差異を考慮する必要がなく、スクリプトを各利用者間で共有することができる。
【００３７】
またスクリプトには、サブスクリプトの指定を含むことができる。同様に、サブスクリプトにもさらに階層的にサブスクリプトの指定を含むことができる。サブスクリプトは、メインとなるスクリプトが実行される段階で時間軸上に展開される。なお、スクリプトデータベース23には、サブスクリプトと共に当該サブスクリプトの再生所要時間が格納されている。なおスクリプトは、上述した如くストリームデータや制御信号を直接指定することも可能であるが、実際上は複数のサブスクリプトから構成することが簡便である。
【００３８】
図４は、スクリプトの構造と、指定された音声データの例である。最上位のスクリプトＰ１においては、掃除洗濯のスクリプト、学校の話題スクリプト、お昼ご飯のスクリプトなど、複数のサブスクリプトを指定している。掃除洗濯のスクリプトＰ２では、掃除機の音声データＤ１、洗濯機の音声データＤ２など、実際のストリームデータを指定している。
【００３９】
学校の話題スクリプトＰ３では、指定した学校の話題の音声データＤ３がスロットＡを備えている。この音声データＤ３においてスロットＡにはフィラーとして名前を読み上げた音声データが入る。本例の場合、学校の話題のスクリプトにおけるスロットなので、フィラーは単に名前であれば十分ではなく、そのフィラーが持つ別の属性がこのスクリプトに適合していること（この場合は、職業が学生であること）が事前にチェックされる。
【００４０】
またお昼ご飯のスクリプトＰ４では、さらに食事準備のスクリプトＰ５をサブスクリプトとして指定している。このようにサブスクリプトがさらにサブスクリプトを指定することもできるが、最下位のスクリプトでは、常にすべてがストリームデータまたは制御信号を指定している。
【００４１】
上記の例は全てストリームデータ（音声データ）であるが、音声データは機器の制御に置き換えることも可能であり、例えば洗濯機の音を流す代わりに洗濯機を動作させることも可能である。この場合、利用者が「動作させてもらっては困る」機器についてはあらかじめ利用者が登録し、それらの機器に関しては音を流すことしかしない、などの構成を取ることもできる。
【００４２】
（システムの動作説明）
次に、図５および図６を用いて、システムの動作およびスクリプト生成のロジックについて説明する。図５はシステムの動作を説明するフローチャート、図６はスクリプト生成ロジックを説明するブロック図である。
【００４３】
図５に示すように、家人が利用者宅４にいる間は、端末５は在宅モードとなっている（Ｓ１）。外出時に利用者が端末５の操作パネル７を外出モードに設定すると（Ｓ２）、端末５はストリーミングサーバ12に接続し（Ｓ３）、利用者ID、パスワードなどを送信して自動的に認証を行なう（Ｓ４）。
【００４４】
図６に示すように、サーバ１の処理手段11は、認証時の日時を取得し、認証された利用者IDから利用者を特定し、家族情報データベース21から家族構成、住所などを特定し、またメンバデータベース22から家族を構成する個人を特定する（Ｓ５）。そして処理手段11は、スクリプトデータベース23にアクセスする。スクリプトデータベース23には、家族情報（家族構成、ライフスタイルなどの生活様式）、交友関係、既設などいくつかのパラメータによってスクリプトを多数用意してあり、家族情報や日時などのキー情報により、スクリプトを選択する（Ｓ６）。このときスクリプト配信履歴データベース26を参照し、連続して同じスクリプトが選択することを回避したり、話題をより自然なものにすることができる。
【００４５】
また処理手段11は、認証が行なわれた日時を用いてインターネットリソース30に接続し、日時や住所などをキーとして天気情報や気温情報、時事ニュースなどの情報を取得する。そして選択されたスクリプトに対し、季節、時刻、利用者の家族構成、生活パターン、天気情報や気温情報に基づき、適宜ストリームデータやサブスクリプトの入れ替えを行ない、スクリプトを再構成する。また、メンバデータベース22から取得した家族の名前や、インターネットリソース30から取得した天気情報などを用いて、スロットのパラメータにフィラー（実体データ）を与える。
【００４６】
このようにして生成されたスクリプトがストリーミングサーバ12に送られると、ストリーミングサーバ12はスクリプトの記述に従って、音声データベース24から音声データを取得し、制御信号データベース25から制御信号を取得する（Ｓ７）。そしてスクリプトに記述された時刻に従って、利用者宅４の端末５に向かってデータ配信を行なう（Ｓ８）。端末５は認証を行なった後は待ち受け状態となっており、ストリーミングサーバ12からストリームデータが送られてくればこれを再生し、制御信号が送られてくれば宅内機器10を制御する（Ｓ９）。
【００４７】
ここでストリーミングサーバ12からのデータ配信は、スクリプトの時間軸に設定された絶対的な時刻に基づいて行なわれる。すなわち、スクリプトのデータとしては朝の７時からのデータが含まれていたとしても、データ配信を開始したのが朝の１０時であれば、１０時の位置からデータ配信を開始する。このように構成することにより、実際の時刻に適した現実味のある音声をスピーカー８から出力することができる。
【００４８】
なお、前のストリームデータの再生が終了する前に次のストリームデータの再生が開始される場合には、前のストリームデータの再生を中断して次のストリームデータの再生を開始する。所定の時間に開始したいイベント、例えば昼食の音や、日没時間にシャッターを閉じるなどがあるからである。また、音声コンテンツの合間で空白の時間（音声がなにも再生されない時間）が生じるケースが想定されるが、音声を配信しないままにしておく方法と、その間、なんらかの別の音声（デフォルト音声）を配信する方法が考えられる。
【００４９】
利用者が帰宅し、端末５を外出モードから在宅モードへ切り替えると（Ｓ１０）、端末５側で音声の再生を停止する。しかる後に端末５はストリーミングサーバ12に自動的にアクセスし、認証を行ない、データ配信を停止するリクエストを送信する（Ｓ１１）。この停止リクエストをストリーミングサーバ12が受信すると、データ配信を停止する（Ｓ１２）。
【００５０】
上記説明した如く、本システムを用いて防犯を行なうにあたって、利用者が行なう作業は在宅モードと外出モードの切替のみであるため、利用者に手間をかけることがない。またサーバ１においてスクリプトを選択し、再構築することにより、様々なバリエーションの生活音の再生、宅内機器の制御を可能としているため、極めて現実味のある在宅を装うことができる。
【００５１】
スピーカーの設置場所は、普段住人が生活行為を行なう場所、例えば居間や台所、食堂、客間、寝室、トイレ、洗面所、浴室などとし、夫々の場所に適した音声データを出力するのが好ましい。
【００５２】
また、玄関ホールにスピーカーを設けることも、玄関ホールで対応を済ませてしまう来客や業者との会話、例えば回覧板を届けに来た近隣の住人と世間話をすることなどが考えられ、有効である。さらに玄関ドアは一般的に他の開口部に比べ気密性が劣るので、外部に音がもれやすい点でも好ましい。
【００５３】
また、スピーカーの設置場所は室内空間に限らず、庭、ベランダ、屋上などの外部空間も考えられる。例えば、北道路の住宅で、道路から見えない南側の庭で庭弄りや工作をしている音や、近隣との世間話などを流すことが考えられる。なお、高い塀などの遮蔽物があれば、道路位置は関係ない。この場合は、外部に音声が聞こえやすいので、敷地内に侵入されない限りにおいては、より効果的である。さらには、近隣の住宅に対しても防犯の効果が及ぶと考えられる。
【００５４】
さらに、スピーカの設置場所については、１階よりも２階以上が好ましい。中を覗かれにくいため不在が察知されにくく、また侵入者からより遠い位置になる為に音源の位置が特定しづらくなり、不自然さが減るためである。また外出時にサッシを開放しておくことができるため（開放しておいても侵入の危険度が小さい）、外部から音声が聞き取りやすい。
【００５５】
［第二実施例］
本発明に係る防犯システムの第二実施例について、図７を用いて説明する。図７は本実施例に係る防犯システムの全体構成図であって、上記第一実施例と説明の重複する部分については同一の符号を付して説明を省略する。
【００５６】
上記第一実施例において、宅内機器10は端末５に有線または無線によって直接接続されていると説明した。これに対し本実施例においては、図７に示すように端末５には宅内機器のうち音声出力手段であるスピーカー８のみが接続され、他の宅内機器10は音声認識により他の宅内機器を制御する音声認識制御手段９に有線又は無線（例えば赤外線）によって接続されている。
【００５７】
そして端末５のスピーカー８から出力される音声には、宅内機器10を制御するための命令音声が含まれている（例えば「テレビつけて」「雨戸締めて」などの音声を配信する）。なおこの場合、制御信号データベース25（図２参照）には、宅内機器10の制御信号の代わりに、各宅内機器10を制御するための命令音声が格納されている。これにより、サーバ１からスクリプトに従って配信された音声で宅内機器を制御することが可能となり、複雑な機構なしに音声配信と宅内機器制御の同期を取ることが可能となる。これにより、あらかじめ制御のタイミングを設定したり、外出先から一つ一つの機器を制御する煩わしさから利用者を解放することができる。
【００５８】
［第三実施例］
本発明に係る防犯システムの第三実施例について、図8を用いて説明する。図８は本実施例に係る防犯システムの全体構成図であって、上記第一実施例と説明の重複する部分については同一の符号を付して説明を省略する。
【００５９】
上記第一実施例において、端末５には音声出力手段として１つのスピーカー８を接続した例を説明した。これに対し本実施例においては、図８に示すように、複数のスピーカー８ａ〜８ｃを備えており、居間や台所、食堂、客間、寝室、トイレ、洗面所、浴室、玄関ホール、庭、ベランダ、屋上などに設置している。
【００６０】
これらのスピーカー８ａ〜８ｃからは、全てのスピーカーから同時に同じ音声を配信することにより、外部に聞こえやすくすることも考えられる。しかし本実施例においては、端末５に接続された出力選択手段としてのセレクタ40に有線または無線によって接続されている。そして配信される制御信号にスピーカー８ａ〜８ｃを特定する信号を含ませることにより、音声データを内容に応じた場所に設置されたスピーカーから、例えば会話の音声は居間から、調理の音声は食堂から、水音は洗面所から出力させる。
【００６１】
このように、普通、生活行為が行われる場所にスピーカーを設置し、スピーカーの設置された場所に適した音声データを出力させることにより、利用者宅４の外部から観察した場合に、より現実味を持たせることができるため、在宅を装う上での効果を向上し、さらに侵入の抑止力とすることができる。
【００６２】
なお複数のスピーカーから選択的に音声を出力するためには、物理的切り替え装置としてのセレクタ40を制御する他に、スピーカーにＦＭ電波受信モジュールを取り付けて周波数をずらして送受信したり、ＩＰ（インターネットプロトコル）によってネットワーク接続して個別に認識してデータを送信することでもよい。
【００６３】
［第四実施例］
上記実施例においては、サーバ１側に音声データベース24を設け、ストリーミングサーバ12からはスクリプトに応じて音声データベース24から音声データを取得して配信を行なっている。
【００６４】
しかし、符号化されたデータとはいえ、音声データを配信することはネットワーク環境によっては帯域を圧迫するおそれがある。そこで音声データベース24および制御信号データベース25を端末５側に設けることも考えられる。この場合、ストリーミングサーバ12からはスクリプトのコマンド（ストリームデータや制御信号の指定）が時刻に応じて配信され、端末５は指定された音声データや制御信号をローカルのデータベースから取得して再生する。
【００６５】
この場合、ネットワークにかかる負荷の軽減を図ることは可能となるが、音声データの追加修正が容易でないという問題が生じる。このため、端末５の音声データベース24や制御信号データベース25のデータをネットワークもしくは別途提供する記録媒体から追加可能とする構成や、指定した音声データが未だ音声データベース24等に存在しない場合には同種の音声データを再生するなどの構成を取る必要がある。
【００６６】
［第五実施例］
また上記実施例においては、インターネットなどの通信手段を介してサーバ１と端末５とを接続し、防犯システムを構築していた。しかし本システムは、スクリプトの構築、修正変更さえ担保できれば、通信手段を介さなくとも独立したシステムとして実現可能である。特に近年は音声データの高圧縮な符号化、記録媒体の大容量化が進んでいるため、コンピュータ上で動作するアプリケーションとして処理手段11およびデータベース２を利用者宅４内のコンピュータに構成することができる。この場合において、スクリプトデータベース23に準備するスクリプトや音声データベース24に格納する音声データは、別途提供する記録媒体から追加可能とすることが望ましい。
【００６７】
［他の実施例］
上記実施例において、端末５は防犯センサ６を備えたセキュリティ装置であると説明したが、本発明に係る防犯システムは必ずしもセキュリティ装置の一部機能である必要はなく、独立したシステムであってもよい。またセキュリティ装置として設置される独自の装置である必要はなく、コンピュータ装置でもサーバと接続して音声を受信することが可能であるため、コンピュータ装置および上記動作を行なうプログラムによっても本発明に係る防犯システムを実現可能である。
【産業上の利用可能性】
【００６８】
本発明は、様々なバリエーションの機器の制御や生活音の再生により在宅を装い、未然に盗難を防止しうる防犯システムとして利用することができる。
【図面の簡単な説明】
【００６９】
【図１】防犯システムの全体構成図である。
【図２】システムのブロック図である。
【図３】スクリプトの構造を説明する図である。
【図４】スクリプトの構造と指定された音声データの例を説明する図である。
【図５】システムの動作を説明するフローチャートである。
【図６】スクリプト生成ロジックを説明するブロック図である。
【図７】第二実施例に係る防犯システムの全体構成図である。
【図８】第三実施例に係る防犯システムの全体構成図である。
【符号の説明】
【００７０】
１    …サーバ
２    …データベース
３    …インターネット回線
４    …利用者宅
５    …端末
６    …防犯センサ
７    …操作パネル
８    …スピーカー
９    …音声認識制御手段
10    …宅内機器
10ａ  …シャッター
10ｂ  …テレビ
11    …処理手段
12    …ストリーミングサーバ
21    …家族情報データベース
22    …メンバデータベース
23    …スクリプトデータベース
24    …音声データベース
25    …制御信号データベース
26    …スクリプト配信履歴データベース
30    …インターネットリソース
40    …セレクタ
【図１】
2005141478.tif 000003
【図２】
2005141478.tif 000004
【図３】
2005141478.tif 000005
【図４】
2005141478.tif 000006
【図５】
2005141478.tif 000007
【図６】
2005141478.tif 000008
【図７】
2005141478.tif 000009
【図８】
2005141478.tif 000010